(57)【要約】      （修正有）【課題】光学誘導型抗菌層を形成する専用装置を提供する。【解決手段】専用装置は、攪拌装置、塗布装置、加熱固化装置および光線固化装置を含む。攪拌装置は液体形成部８と攪拌軸９を含み、攪拌軸は液体形成部内においてｘ軸、ｚ軸の方向に往復移動をし、液体形成部の出口は液体パイプ１０により塗布装置に連結される。塗布装置はローラーモジュール１２と原材収納部を含み、液体形成部の出口は液体パイプにより原材収納部に連結され、原材収納部はローラーモジュールに連結され、ローラーは基材に駆動力を与え、基材はベルト・コンベヤー１４上に配置される。加熱固化装置はオーブン１５を含み、オーブンはベルト・コンベヤー上に取り付けられ、基材はベルト・コンベヤーによりオーブン内に搬送される。光線硬化装置はＵＶランプ照射空間１６を含み、ＵＶランプ照射空間はオーブンの出口方向においてベルト・コンベヤー上に取り付けられ、ベルト・コンベヤーにより加熱硬化装置と光線効果装置を直列に連結する。【選択図】図１
0003235275.tif 000002
【実用新案登録請求の範囲】
【請求項１】
製造工程にそれぞれ使用される攪拌装置、塗布装置、加熱固化装置および光線固化装置を含み、
前記攪拌装置は液体形成部と攪拌軸を含み、攪拌軸は液体形成部内においてｘ軸、ｚ軸の方向に往復移動をし、液体形成部の出口は液体パイプにより塗布装置に連結され、
塗布装置はローラーモジュールと原材収納部を含み、液体形成部の出口は液体パイプにより原材収納部に連結され、前記原材収納部はローラーモジュールに連結され、ローラーは基材に駆動力を与え、基材はベルト・コンベヤー上に配置され、
加熱固化装置はオーブンを含み、前記オーブンはベルト・コンベヤー上に取り付けられ、基材はベルト・コンベヤーによりオーブン内に搬送され、
光線硬化装置はＵＶランプ照射空間を含み、前記ＵＶランプ照射空間はオーブンの出口方向においてベルト・コンベヤー上に取り付けられ、ベルト・コンベヤーにより加熱硬化装置と光線効果装置を直列に連結することを特徴とする光学誘導型抗菌層を形成する専用装置。
【請求項２】
前記加熱固化装置と光線固化装置内には静電気除去装置がそれぞれ取り付けられていることを特徴とする請求項１に記載の光学誘導型抗菌層を形成する専用装置。
【請求項３】
前記液体パイプには複数個のフィルタ部品が取り付けられ、そのフィルタ部品は原料中の粒子を濾過することを特徴とする請求項１に記載の光学誘導型抗菌層を形成する専用装置。
【請求項４】
ローラー部品により基材上に塗布される塗布層の厚さは０．５〜３μｍであることを特徴とする請求項１に記載の光学誘導型抗菌層を形成する専用装置。
【請求項５】
前記攪拌軸上に攪拌オールが取り付けられ、攪拌オールのオールは多層の構造を有しており、かつオールは交差に取り付けられていることを特徴とする請求項１に記載の光学誘導型抗菌層を形成する専用装置。
【考案の詳細な説明】
【技術分野】
【０００１】
この考案は光学誘導型抗菌層を形成する専用装置に関するものである。
【背景技術】
【０００２】
光学誘導型抗菌方法は近年流行っている一種の抗菌方法である。ナノ酸化チタン（ＴｉＯ２）は、光触媒材料の典型的な代表であり、価格が低く、無毒であり、安定性がよく、抗菌の有効期間が長く、空気を浄化でき、セルフ清潔の効果が優れるという利点を有している。二酸化チタンを過度に添加する場合、膜の光学性能が遥かに低下し、ヘイズ程度（Ｈａｚｅ  ｒａｔｉｏ）が増加するおそれがある。そのためその膜を光学性能に対する要求が高い製品に用いることができない。塗布された液体を乾燥される場合、多数の二酸化チタン粒子はコーテングの中にうずもれてしまう。二酸化チタンによって殺菌をするとき、まず二酸化チタンの多くの穴により細菌を吸着する。つぎにそれによってできた水酸基ラジカルと酸素イオンのような高エネルギー物質が細菌等の有機物に対して酸化分解を実施する。二酸化チタンがコーテングの下に隠れていて細菌と接することができず、最大の抗菌効果を求められない。しかも二酸化チタンの抗菌効果は光触媒で実現し、光の照射がない場合は明らかな抗菌効果がないのである。だから使用環境にも大きな制限がある。
【考案の概要】
【考案が解決しようとする課題】
【０００３】
この考案が解決しようとする技術的課題は、ナノ銀と二酸化チタン等のような二種の抗菌材料が含まれている光学誘導型抗菌層を形成する専用装置を提供することにある。光学誘導型抗菌層を形成する専用装置により形成されるコーティングにおいて、ナノ二酸化チタン自体は、可視光と紫外線による殺菌、抗ウイルス、有機物の分解、自己清浄の機能を具備し、かつ光のない場合でもナノ銀の強力な抗菌機能とウイルスを消滅する機能を確保することができる。
【課題を解決するための手段】
【０００４】
前記技術的課題を解決するため、この考案はつぎの光学誘導型抗菌層を形成する専用装置を提供する。その光学誘導型抗菌層を形成する専用装置は、製造工程にそれぞれ使用される攪拌装置、塗布装置、加熱固化装置および光線固化装置を含み、
前記攪拌装置は液体形成部と攪拌軸を含み、攪拌軸は液体形成部内においてｘ軸、ｚ軸の方向に往復移動をし、液体形成部の出口は液体パイプにより塗布装置に連結され、
塗布装置はローラーモジュールと原材収納部を含み、液体形成部の出口は液体パイプにより原材収納部に連結され、前記原材収納部はローラーモジュールに連結され、ローラーは基材に駆動力を与え、基材はベルト・コンベヤー上に配置され、
加熱固化装置はオーブンを含み、前記オーブンはベルト・コンベヤー上に取り付けられ、基材はベルト・コンベヤーによりオーブン内に搬送され、
光線硬化装置はＵＶランプ照射空間を含み、前記ＵＶランプ照射空間はオーブンの出口方向においてベルト・コンベヤー上に取り付けられ、ベルト・コンベヤーにより加熱硬化装置と光線効果装置を直列に連結する。
【０００５】
この考案の好適な実施例において、前記加熱固化装置と光線固化装置内には静電気除去装置がそれぞれ取り付けられている。
【０００６】
この考案の好適な実施例において、前記液体パイプには複数個のフィルタ部品が取り付けられ、そのフィルタ部品は原料中の粒子を濾過する。
【０００７】
この考案の好適な実施例において、前記ローラー部品により基材上に塗布される塗布層の厚さは０．５〜３μｍである。
【０００８】
この考案の好適な実施例において、前記攪拌軸上に攪拌オールが取り付けられ、攪拌オールのオールは多層の構造を有しており、かつオールは交差に取り付けられている。
【考案の効果】
【０００９】
この考案の特徴によりつぎのような考案の効果を獲得することができる。この考案の加熱固化装置と光線固化装置内に静電気除去手段がそれぞれ設けられているので、イオン化空気により下方１ｍ範囲内の膜材の正電荷のバランスを維持することができる。それにより製品の品質を向上させ、生産の安全性を確保することができる。光学誘導型抗菌層を形成する専用装置により形成されるコーティングには銀添加二酸化チタンのナノ粒子が含まれているので、ナノ二酸化チタン自体は、可視光と紫外線による殺菌、抗ウイルス、有機物の分解、自己清浄の機能を具備し、かつ光のない場合でもナノ銀の強力な抗菌機能とウイルスを消滅する機能を確保することができる。
【図面の簡単な説明】
【００１０】
この考案の実施例に係る技術的事項をより詳細に説明するため、以下、この考案の実施例に係る図面を簡単に説明する。注意されたいことは、下記図面はこの考案の例示にしか過ぎないものであるため、この技術分野の技術者は創造的な研究をしなくても下記図面により他の図面を想像することができる。
【図１】この考案の好適な実施例に係る光学誘導型抗菌層を形成する専用装置を示す構造図である。
【考案を実施するための形態】
【００１１】
この考案の実施例の目的、技術的事項および考案の効果をより詳細に説明するため、以下、この考案の実施例中の図面によりこの考案の実施例に係る技術的事項をより詳細に説明する。下記実施例はこの考案の例示にしか過ぎないものであり、この考案のすべての実施例を示すものでない。図面に示されているこの考案の各実施例はいろいろな構造で構成されるか或いは配置されることができる。
【００１２】
以下、図面に記載されているこの考案の実施例を詳細に説明するが、下記実施例はこの考案の実用新案登録請求の範囲を限定するものでなく、この考案の好適な実施例を示すものである。この技術分野の技術者は創造的な研究をしなくても下記実施例により他の実施例を想像することができ、それらがあってもこの考案に含まれることは勿論である。
【００１３】
注意されたいことは、類似している符号と字母は図面中の類似している事項を示す。そのため、１つの事項が図面により定義される場合、その事項と類似している他の事項を再び定義するか或いは解釈する必要がない。
【００１４】
この考案において、「前」、「後」という方向性用語が指す方向または位置は図面上の方向または位置を意味するか或いはこの考案の製品を使用するとき常用する方向または位置を意味する。その方向性用語は、この考案を説明することに用いられるものであり、装置または部品の所定の方向、所定の構造および所定の操作を指すものでなく、この考案を限定するものでもない。「第一」、「第二」等の用語は特徴または事項を区分するためのものであり、特徴または事項の重要性を明示するか或いは暗示するものでない。
【００１５】
注意されたいことは、この考案の説明において、特別な説明がない限り、「設置」、「連結」という用語を広義に解する必要がある。すなわち「設置」、「連結」という用語は、着脱不可能に連結されること、着脱可能に連結されること、一体に成型されること、機械的に連結されること、電気接続されること、直接に連結されること、中間の媒体によって間接に連結されることまたは２つの部品が連通状態に連結されることを意味することができる。この技術分野の技術者はこの考案の具体的な状況により各用語の意味を具体的に解釈することができる。
【００１６】
この考案において、特別な説明がない限り、第一特徴が第二特徴上または第二特徴下に設けられるということは、第一特徴と第二特徴が直接に接触することと、第一特徴と第二特徴が他の特徴により間接的に接触することとを含む。第一特徴が第二特徴上、第二特徴の上方または第二特徴の上部に設けられるということは、第一特徴が第二特徴の真上または略上部に設けられることを意味するか或いは第一特徴の高さが第二特徴の高さより高いことを意味する。第一特徴が第二特徴下、第二特徴の下方または第二特徴の下部に設けられるということは、第一特徴が第二特徴の真下または略下部に設けられることを意味するか或いは第一特徴の高さが第二特徴の高さより低いことを意味する。
【００１７】
本考案において、光学誘導（ｏｐｔｉｃａｌ  ｉｎｄｕｃｔｉｏｎ）型抗菌層を形成する専用装置を提供する。その光学誘導型抗菌層を形成する専用装置は、下記製造工程にそれぞれ使用される攪拌装置、塗布装置、加熱固化装置および光線固化装置を含む。攪拌装置は液体形成部８と攪拌軸９を含み、攪拌軸９は液体形成部８内においてｘ軸、ｚ軸の方向に往復移動をし、液体形成部８の出口は液体パイプ１０により塗布装置に連結される。液体パイプ１０には複数個のフィルタ部品１１が取り付けられ、そのフィルタ部品１１は原料中の粒子を濾過することにより塗布の効果を確保することができる。
【００１８】
予め分散させる効果と混合させる効果を確保するため、本考案は攪拌軸上に攪拌オール（図示せず）を取り付けることが好ましい。攪拌オールのオールは多層の構造を有しており、かつオールは交差に取り付けられている。
【００１９】
塗布装置はローラーモジュール１２と原材収納部を含み、液体形成部８の出口は液体パイプ１０により原材収納部に連結され、前記原材収納部はローラーモジュール１２に連結され、ローラー１２は基材１３に駆動力を与え、基材１３はベルト・コンベヤー（ｂｅｌｔ  ｃｏｎｖｅｙｅｒ）１４上に配置される。ローラー部品１２による塗布層の厚さは０．５〜３μｍである。
【００２０】
加熱固化装置はオーブン１５を含み、前記オーブン１５はベルト・コンベヤー１４上に取り付けられ、基材１３はベルト・コンベヤー１４によりオーブン１５内に搬送される。加熱固化の温度は５０〜１５０℃であり、固化時間は３０ｓ〜６０ｓである。
【００２１】
光線硬化装置はＵＶランプ照射空間１６を含み、ＵＶランプの効率は５０〜４４４ｍＪ／ｃｍ２である。前記ＵＶランプ照射空間１６はオーブン１５の出口方向においてベルト・コンベヤー１４上に取り付けられ、ベルト・コンベヤー１４により加熱硬化装置と光線効果装置を直列に連結する。光線固化装置の輻射の強度を調節することにより、光線固化の時間を短縮するか或いは直列に連結される設備の数量を減少させ、設備のコストを低減することができる。
【００２２】
前記加熱固化装置と光線固化装置内には静電気除去装置１７がそれぞれ取り付けられている。固化装置に静電気除去装置１７が取り付け、イオン化空気（ｉｏｎｉｚｅｄ  ａｉｒ）により下方１ｍ範囲内の膜材の正電荷のバランスを維持することができる。それにより製品の品質を向上させ、生産の安全性を確保することができる。
【００２３】
本考案の製造工程は、銀添加二酸化チタン（Ｓｉｌｖｅｒ  ｌｏａｄｅｄ  ｔｉｔａｎｉｕｍ  ｄｉｏｘｉｄｅ）と表面活性剤を溶剤中で予め分散させ、予め分散により獲得した分散液と耐磨耗材、溶剤とを再び混合することにより抗菌液を得るステップと、抗菌液中にコアセルベートされている粒子を濾過するステップと、その抗菌液を基材上に塗布した後、加熱固化とＵＶ光固化により抗菌コーテングを獲得するステップとを含む。
【００２４】
加熱固化の温度は５０〜１５０℃であり、固化の時間は３０ｓ〜６０ｓであり、ＵＶ光固化の効率は５０〜４４４ｍＪ／ｃｍ２である。銀添加二酸化チタンの粒径は１０〜５０ｎｍである。
【００２５】
光触媒抗菌コーティングは銀が添加されていることにより二酸化チタンのバンドギャップ（ｂａｎｄ  ｇａｐ）を低減し、太陽光の利用率を向上させ、二酸化チタンの光触媒の効果を向上させることができる。ナノ銀は強い抗菌の性能を有しているため、二酸化チタンの用量を減少させ、製品の光学性能に影響を与えることを低減することができる。二酸化チタンに添加されているナノ銀は二酸化チタンの有効成分が少なく、抗菌の能力が低いという欠点を解決でき、かつ光線の照射による影響も受けず、光無しの環境でも正常に使用することができできる。普通のナノ銀抗菌膜よりも自己清浄機能を高めることができる。
【００２６】
以上のとおり、光学誘導型抗菌層を形成する専用装置により形成されるコーティングには銀添加二酸化チタンのナノ粒子が含まれているので、ナノ二酸化チタン自体は、可視光と紫外線による殺菌、抗ウイルス、有機物の分解、自己清浄の機能を具備し、かつ光のない場合でもナノ銀の強力な抗菌機能とウイルスを消滅する機能を確保することができる。
【００２７】
以上、この考案の実施例を詳述してきたが、前記実施例はこの考案の例示にしか過ぎないものであるため、この考案は前記実施例の構成にのみ限定されるものではなく、この考案の要旨を逸脱しない範囲内において設計の変更、改良等をすることができ、そのような設計の変更、改良等があってもこの考案に含まれることは勿論である。
【図１】
0003235275.tif 000003